(57)【要約】      （修正有）【課題】室内外の温度環境の違いによって生ずる反り変形を抑制できるドアを提供する。【解決手段】表裏のパネル１ａ，１ｂと、パネル１ａ，１ｂ間に配置した芯材２とを備え、芯材２は、少なくとも上部と下部の領域において厚み方向に複数に分割されており、上下方向の中間部は、分割された芯材同士を接着剤で接合、芯材の上部と下部の領域に端面より切り込みを入れて厚み方向に複数に分割、もしくはドアの表裏に跨って取付けられる部材（例えば、ハンドル、錠、額縁等）により挟み込んで離間しないようにする。【選択図】図３
2015178695.tif 000002
【特許請求の範囲】
【請求項１】
表裏のパネルと、パネル間に配置した芯材とを備え、芯材は、少なくとも上部と下部の領域において厚み方向に複数に分割されており、上下方向の中間部は離間しないようにしてあることを特徴とするドア。
【発明の詳細な説明】
【技術分野】
【０００１】
本発明は、玄関等に用いられるドアに関する。
【背景技術】
【０００２】
玄関等に用いられるドアとして、鋼板よりなる２枚のパネル間に発泡スチロール板等の断熱性の芯材を挟み込んで接着したものが知られている（例えば、特許文献１参照。）。このようなドアは、室内外の温度環境の違いにより反り変形が生じ、施解錠ができなくなる、光が漏れるといった不都合が生じることがあった。
【先行技術文献】
【特許文献】
【０００３】
【特許文献１】特開２００８−２９７７８４号公報
【発明の概要】
【発明が解決しようとする課題】
【０００４】
本発明は以上に述べた実情に鑑み、室内外の温度環境の違いによって生ずる反り変形を抑制できるドアの提供を目的とする。
【課題を解決するための手段】
【０００５】
上記の課題を達成するために請求項１記載の発明によるドアは、表裏のパネルと、パネル間に配置した芯材とを備え、芯材は、少なくとも上部と下部の領域において厚み方向に複数に分割されており、上下方向の中間部は離間しないようにしてあることを特徴とする。
芯材の上下方向の中間部を離間しないようにする手段としては、分割された芯材同士を接着剤で接合すること、一枚の芯材の上部と下部の領域に端面より切り込みを入れて厚み方向に複数に分割し、上下方向の中間部は分割しないこと、ドアの表裏に跨って取付けられる部材（例えば、ハンドル、錠、額縁等）により挟み込んで保持することなどがあげられる。
【発明の効果】
【０００６】
請求項１記載の発明によるドアは、芯材が少なくとも上部と下部の領域において厚み方向に複数に分割されていることで、片方のパネルが熱伸びしたときに芯材の上部と下部の領域で滑りが生じ、熱伸びに対する拘束が弱まるため、室内外の温度環境の違いによって生ずる反り変形を抑制できる。ドアのパネルは、主に上下方向に熱伸びするため、上部と下部の領域で芯材が厚み方向に複数に分割されていることで、ドアの反りを抑制する効果が高い。また、上下方向の中間部は芯材が離間しないようにしてあるので、ドアの上下方向の中間部が室内外方向に膨らんだり、パネルがベコベコしたりすることがない。
【図面の簡単な説明】
【０００７】
【図１】（ａ）は本発明のドアに用いられる芯材の第１実施形態を示す平面図、（ｂ）は同芯材の室内側正面図である。
【図２】（ａ）は本発明に係るドアの一実施形態を示す室外側正面図、（ｂ）は室内側正面図である。
【図３】図２のＡ−Ａ断面図である。
【図４】同ドアの分解斜視図である。
【図５】（ａ）は本発明のドアに用いられる芯材の第２実施形態を示す平面図、（ｂ）は同芯材の室内側正面図である。
【図６】（ａ）は本発明のドアに用いられる芯材の第３実施形態を示す側面図、（ｂ）は同芯材の室内側正面図である。
【図７】（ａ）は本発明のドアに用いられる芯材の第４実施形態を示す平面図、（ｂ）は同芯材の室内側正面図である。
【図８】熱照射試験の概要を示す説明図である。
【図９】熱照射試験の結果を示すグラフである。
【図１０】（ａ）は本発明に係るドア他の実施形態を示す室外側正面図、（ｂ）は室内側正面図である。
【図１１】図２のＢ−Ｂ断面図である。
【発明を実施するための形態】
【０００８】
以下、本発明の実施の形態を図面に基づいて説明する。図２〜４は、本発明の一実施形態に係る玄関ドアを示している。この玄関ドアは、図２，３に示すように、ドア枠４と、ドア枠４に蝶番５で開閉自在に取付けたドア６とを備える。
ドア６は、図２に示すように、戸先側の上下方向中間部に縦長のハンドル７を備え、ハンドル７より少し上に上がった位置と少し下がった位置の２箇所に本締り錠８ａ，８ｂを備えている。室内側面の戸先側には、上の本締り錠８ａよりもさらに少し上に上がった位置にドアガード９を備えている。上下の本締り錠８ａ，８ｂは、キー及びサムターンに加えリモコンによっても施解錠操作が行える電子錠であり、リモコン等を操作することでデッドボルト１０が戸先側から出没し、デッドボルト１０が竪枠１１の内周側面に設けた錠受け１２に係合することで（図３参照）、ドア６を施錠する。錠受け１２は、デッドボルト１０が係合する穴がデッドボルト１０よりも一回り大きく形成してあり、且つ室内外方向に取付位置を調整できるようになっている。ドアガード９は、アームを竪枠１１に設けた受け金具１３に引っ掛けることで、ドア６の開く範囲を所定の狭い範囲に規制できるものである。ハンドル７の付け根部分には、ラッチ錠（図示省略）を備えている。ドア６の室内側面の上部には、ドアクローザ１４が設けてある。
【０００９】
ドア６は、図３，４に示すように、室外側と室内側の表面に薄い鋼板を用いてなるパネル１ａ，１ｂを備え、ドア６内部には室外側と室内側のパネル１ａ，１ｂ間に挟む形で発泡スチロールの板よりなる芯材２が設けてあり、さらに両パネル１ａ，１ｂ間には芯材２の周囲を囲むように上框１５、下框１６、戸先框１７及び吊元框１８が設けてある。上框１５と下框１６は、合成樹脂の押出形材を用いており、内周側が開口した略コ字状断面になっている。戸先框１７と吊元框１８は、アルミ合金の押出形材を用いており、内周側が開口した略コ字状断面となっている。各框１５，１６，１７，１８の見込み寸法は、芯材２の見込み寸法と同一となっている。各框１５，１６，１７，１８は、パネル１ａ，１ｂと接着剤で接着されている。
【００１０】
ドアガード９が取付く位置のドア６内部には、図３，４に示すように木製のブロック体１９が設けてあり、ドアガード９はブロック体１９に木ネジ２０を螺入して強固に取付けられている。ドアクローザ１４が取付く位置のドア６内部にも、同じように木製のブロック体２１が設けてある。芯材２は、ブロック体１９，２１が配置される位置と、上下の本締り錠８ａ，８ｂとハンドル７の取付け位置に対応して、切り欠き２２が設けてある。
【００１１】
図１は、本ドア６に用いられる芯材２の第１実施形態を示している。この芯材２は、厚み方向に２枚の芯材２ａ，２ｂに分割されており、分割された２枚の芯材２ａ，２ｂは、戸先部を除く上下方向の中間部の領域２３のみ接着剤で接合してあり（図中のハッチングした領域）、上部の領域と下部の領域は接着されていない。戸先部を接着してないのは、戸先部にはハンドル７と錠８ａ，８ｂがドア６の表裏に跨って取付くため、接着してなくても分割された芯材２ａ，２ｂが離間しないためである。分割された各芯材２ａ，２ｂの表面は、パネル１ａ，１ｂと接着剤で全面接着されている。
【００１２】
一般的に、ドアの室外側面に日射を受けて室外側のパネル１ａが熱せられると、室外側のパネル１ａは伸びようとする（特に、上下方向に大きく伸びる）。一方、室内側のパネル１ｂはほとんど伸びない。そうして室内外のパネル１ａ，１ｂが片伸びすることに起因して、ドアに反りが生ずる。
本発明のドア６は、上述のように芯材２が厚み方向に２枚の芯材２ａ，２ｂに分割されており、分割された２枚の芯材２ａ，２ｂは上下方向中間部の一部の領域２３のみ接着剤で接合したので、片方のパネル１ａが熱伸びしたときに芯材２ａ，２ｂの接合されていない上部と下部の領域で滑りが生じ、熱伸びに対する拘束が弱まるため、室内外の温度環境の違いによって生ずる反り変形を抑制できる。また、パネル１ａ，１ｂは主に上下方向に伸びようとするから、芯材２ａ，２ｂの上部と下部とに非接合領域を設けることで、ドア６の反りを効果的に抑制できる。仮に、分割された２枚の芯材２ａ，２ｂが全面的に接合されていないとすると、ドア６の上下方向中間部が室内外方向に膨らんだり、パネル１ａ，１ｂがベコベコしたりするおそれがあるが、本ドア６では分割された芯材２ａ，２ｂ同士が上下方向中間部の領域２３で接着剤で接合し、離間しないようにしてあることで、そのような不都合が生じない。本ドア６は、芯材２を厚み方向に２枚に分割し、分割された芯材２ａ，２ｂ同士を上下方向中間部の領域２３で接着剤で接合するだけなので、既存設備をそのまま利用し、従来のドアと同様に製作できる。
【００１３】
図５は、本ド６アに用いられる芯材２の第２実施形態を示している。この芯材２は、厚み方向に３枚の芯材２ａ，２ｂ，２ｃに分割されており、分割された３枚の芯材２ａ，２ｂ，２ｃは、第１実施形態と同様に戸先部を除く上下方向の中間部の領域２３のみ接着剤で接合してある。
本実施形態によれば、芯材２ａ，２ｂ，２ｃ間の滑りを生ずる面が室外側と室内側に２面あるため、第１実施形態のものよりさらに反りを抑制する効果がある。
【００１４】
図６は、本ドア６に用いられる芯材２の第３実施形態を示している。この芯材２は、一枚の板で形成され、上端と下端より表裏面に沿って切り込み３ａ，３ｂが設けてある。これにより芯材２は、第１実施形態と同様に、上部と下部の領域が厚み方向に２枚に分断されている。切り込み３ａ，３ｂを入れるときの入れ方としては、例えばニクロム線に電流を流して発熱させ、発熱したニクロム線を芯材２の上端と下端からそれぞれ挿入し、表裏面に沿ってスライドさせることで、簡単に切り込み３ａ，３ｂを入れることができる。
本実施形態では、片方のパネル１ａが熱伸びしたときに芯材２の切り込み３ａ，３ｂが設けてある領域で滑りが生じ、熱伸びに対する拘束が弱まるため、第１実施形態のものと同様にドア６の反りを抑制できる。１枚の芯材２に切り込み３ａ，３ｂを入れるだけなので、複数枚に分割された芯材を部分的に接合する場合よりも、コストを抑えられる。また、１枚の芯材２の厚みには０．５ｍｍ程度の誤差があるが、芯材を複数枚重ねるよりも厚みの誤差を小さくできる。切り込み３ａ，３ｂを室外側寄りと室内側寄りの２箇所に設け、第２実施形態のように芯材２を厚み方向に３分割することもできる。
【００１５】
図７は、本ドア６に用いられる芯材２の第４実施形態を示している。この芯材２は、厚み方向に２枚の芯材２ａ，２ｂに分割され、室内側の芯材２ｂは、奥側に幅広部２４を有するあり溝状の嵌合溝２５を、幅方向の中央部に上下方向に連続して設けてあり、室外側の芯材２ａは前記嵌合溝２５と嵌合する嵌合突部２６を設けてある。本芯材２は、嵌合溝２５に嵌合突部２６が嵌合することで室内外の芯材２ａ，２ｂが接合され、且つ室内外の芯材２ａ，２ｂが全長にわたって上下方向に相対移動可能となっている。
本実施形態によれば、片方のパネル１ａが熱伸びしたときに、分割された芯材２ａ，２ｂ間で上下方向の全長にわたって滑りを生じさせ、熱応力を逃がすことができるので、ドア６の反りを抑制する効果が高い。また、嵌合溝２５に嵌合突部２６が嵌合していることで、分割された芯材２ａ，２ｂが離反しないため、ドア６に膨らみが生ずることもない。
【００１６】
以上に述べた第１〜第４実施形態の効果を検証するため、実際にドア６を製作して熱照射試験を行った。熱照射試験は、図８に示すように、ドア６をドア枠に取付けた状態（ラッチ錠と本締り錠は解除状態）で、ドア６の室外側面に冬場の日射量に相当する７００ｋｃａｌ／ｍ２・ｈの熱量のランプ２７の光を４時間照射し、その間にドア６の上部と中央部と下部の変位を変位計２８でそれぞれ測定し、その値からドア６のたわみ量を以下の計算式から求めた。
ドアのたわみ量＝ドア中央部の変位−（ドア上部の変位＋ドア下部の変位）／２
たわみ量は、ドア６の戸先と吊元と左右方向の中央の３箇所で求めた。第１〜第４実施形態のそれぞれについて、パネル１ａ，１ｂに通常の鋼板を用いたものと、パネル１ａ，１ｂに遮熱鋼板を用いたもの２種類測定した。
比較例として、芯材２が厚み方向に分断されていないもの（パネルは通常の鋼板）についても試験した。試験結果を図９に示す。
【００１７】
図９より明らかなように、芯材２を内外２分割した第１実施形態は、分割しない比較例と比べて、戸先のたわみ量が３．５ｍｍ程度、中央のたわみ量が６ｍｍ程度、吊元のたわみ量が２．２ｍｍ程度小さくなった。芯材２を内外３分割した第２実施形態は、第１実施形態よりさらにたわみ量が小さくなった。芯材２に切り込み３ａ，３ｂを入れた第３実施形態は、戸先のたわみ量が第１，第２実施形態と同程度に減少した。内外の芯材２ａ，２ｂを上下方向にスライド可能に嵌合連結した第４実施形態は、戸先及び吊元のたわみ量が第１・第２実施形態と同程度に減少し、中央のたわみ量は第１・第２実施形態以上に減少した。パネル１ａ，１ｂに通常の鋼板を用いたものと、遮熱鋼板を用いたものを比較すると、何れの実施形態も遮熱鋼板を用いたものの方が若干たわみ量が小さくなった。
【００１８】
図１０，１１は、本発明に係るドア６の他の実施形態を示している。このドア６は、幅方向の中央部に縦長の開口部２９を設け、その開口部２９に額縁３０を取付け、額縁３０内にガラス３１を嵌め込み、光を室内に採り込めるようにしたものである。額縁３０は、図１１に示すように、室外側部材３０ａと室内側部材３０ｂとに分割して構成され、室外側部材３０ａを室外側から、室内側部材３０ｂを室内側からそれぞれ開口部２９に嵌め込み、ネジ３２で固定することにより、ドア６を表裏から挟み込むように取付けられている。芯材２は、厚み方向に２枚の芯材２ａ，２ｂに分割されており、分割された芯材２ａ，２ｂ同士は接着されていない。
【００１９】
本実施形態のドア６も、芯材２が厚み方向に分割されていることで、先に説明した実施形態と同様に、室内外の温度環境の違いによって生ずるドア６の反り変形を抑制する効果がある。分割された芯材２ａ，２ｂ同士を接着しないため、接着にかかる手間やコストを省くことができる。また、分割された芯材２ａ，２ｂは、ドア表裏面に跨って取付けた額縁３０、ハンドル７、錠８ａ，８ｂにより、離間しないように保持されるため、ドア６の上下方向中間部が室内外方向に膨らんだり、パネル１ａ，１ｂがベコベコしたりすることもない。
【００２０】
以上に述べたとおり、芯材２を少なくとも上部と下部の領域において厚み方向に複数に分割することで、室内外の温度環境の違いによって生ずるドア６の反り変形を抑制することができる。これにより、施解錠ができなくなる、光が漏れるといった不都合を解消することができる。芯材２の上下方向の中間部は離間しないようにしてあるので、ドア６が室内外方向に膨らんだり、パネル１ａ，１ｂがベコベコしたりするのを防ぐことができる。
【００２１】
本発明は以上に述べた実施形態に限定されない。芯材の材質は特に限定されず、例えば木質のものであってもよい。ドアの中央部にガラスを嵌め込んだ窓部を設けることもできる。分割された芯材同士を部分的に接合する手段は、接着剤や嵌合の他、熱溶着、ボルト・ナット等でもよい。芯材の分割されていない領域（接合された領域）の大きさ、位置は、適宜変更することができる。
【符号の説明】
【００２２】
１ａ，１ｂ  パネル
２，２ａ，２ｂ，２ｃ  芯材
３ａ，３ｂ  切り込み
６  ドア
【図１】
2015178695.tif 000003
【図２】
2015178695.tif 000004
【図３】
2015178695.tif 000005
【図４】
2015178695.tif 000006
【図５】
2015178695.tif 000007
【図６】
2015178695.tif 000008
【図７】
2015178695.tif 000009
【図８】
2015178695.tif 000010
【図９】
2015178695.tif 000011
【図１０】
2015178695.tif 000012
【図１１】
2015178695.tif 000013